(57)【要約】【課題】静止遷移軌道に投入された人工衛星を、任意の昇交点赤径を持つ傾斜同期軌道へ素早く投入することができる衛星投入方法と、そのための最適な投入ルートを従事者に対して提案するための投入ルート提案装置及び投入ルート提案プログラムを提供する。【解決手段】投入ルート提案装置１０は、傾斜同期軌道ＩＳＯと同じ軌道傾斜角を持つ第１遷移円軌道を経た後に傾斜同期軌道ＩＳＯと同じ昇交点赤径を持つ第２遷移円軌道を経る第１の投入ルート，傾斜同期軌道ＩＳＯと同じ軌道傾斜角を持つとともに昇交点と降交点が反転した第１遷移円軌道を経た後に傾斜同期軌道ＩＳＯと同じ昇交点赤径を持つ第２遷移円軌道を経る第２の投入ルート，静止遷移軌道ＧＴＯと同じ軌道傾斜角を持つ第１遷移円軌道を経た後に傾斜同期軌道ＩＳＯと同じ昇交点赤径及び軌道傾斜角を持つ第２遷移円軌道を経る第３の投入ルートのうち、最も推薬を必要としない投入ルートを提示する。【選択図】    図１８
2004284479.tif 000002
【特許請求の範囲】
【請求項１】
人工衛星を待機軌道から静止軌道へ投入するための静止遷移軌道から、準天頂軌道の持つ多数の傾斜同期軌道のうちの一つに向けて人工衛星を投入するための衛星投入方法であって、
前記静止遷移軌道から、その遠地点に昇交点が一致するとともに前記傾斜同期軌道と同じ軌道傾斜角を持つ第１遷移円軌道へ前記人工衛星を投入し、その後に、その第１遷移円軌道から、その第１遷移円軌道と同じ軌道傾斜角及び軌道長半径を持つとともに前記傾斜同期軌道と同じ昇交点赤径を持つ第２遷移円軌道へ前記人工衛星を投入する第１の投入ルート、
前記静止遷移軌道から、その遠地点に降交点が一致するとともに前記傾斜同期軌道と同じ軌道傾斜角を持つ第１遷移円軌道へ前記人工衛星を投入し、その後に、その第１遷移円軌道から、その第１遷移円軌道と同じ軌道傾斜角及び軌道長半径を持つとともに前記傾斜同期軌道と同じ昇交点赤径を持つ第２遷移円軌道へ人工衛星を投入する第２の投入ルート、及び、
前記静止遷移軌道から、その遠地点に昇交点が一致するとともに軌道傾斜角が前記静止遷移軌道と一致する第１遷移円軌道へ前記人工衛星を投入し、その後に、その第１遷移円軌道から、その第１遷移軌道と同じ軌道長半径を持つとともに前記傾斜同期軌道と同じ昇交点赤径及び軌道傾斜角を持つ第２遷移円軌道へ前記人工衛星を投入する第３の投入ルート
のうちの１つに、前記人工衛星を投入する
ことを特徴とする衛星投入方法。
【請求項２】
前記第１乃至第３の投入ルートのうち、前記静止遷移軌道から前記傾斜同期軌道へ投入するまでに必要な推薬量が最も少ない投入ルートに、前記人工衛星を投入する
ことを特徴とする請求項１記載の衛星投入方法。
【請求項３】
前記静止遷移軌道から前記第１遷移円軌道へ前記人工衛星を投入する際には、前記人工衛星に搭載されるロケットを、作動させる
ことを特徴とする請求項１又は２記載の衛星投入方法。
【請求項４】
前記第１遷移円軌道から前記第２遷移円軌道へ前記人工衛星を投入する際には、前記人工衛星に搭載されるロケットを、作動させる
ことを特徴とする請求項１又は２記載の衛星投入方法。
【請求項５】
人工衛星を待機軌道から静止軌道へ投入するための静止遷移軌道から、準天頂軌道の持つ多数の傾斜同期軌道のうちの一つに向けて人工衛星を投入する計画を立案する際に用いられる投入ルート提案装置であって、
各種画面を表示するための表示部と、
各種情報を入力するための入力部と、
前記静止遷移軌道及び前記傾斜同期軌道の軌道要素を定義する情報が前記入力部から入力されると、所定画面を前記表示部に表示させる制御部と
を備え、
前記制御部は、
前記軌道要素を定義する情報に基づいて、前記静止遷移軌道から、その遠地点に昇交点が一致するとともに前記傾斜同期軌道と同じ軌道傾斜角を持つ第１遷移円軌道へ前記人工衛星を投入する際に必要な増速量，及び、その第１遷移円軌道から、その第１遷移円軌道と同じ軌道傾斜角及び軌道長半径を持つとともに前記傾斜同期軌道と同じ昇交点赤径を持つ第２遷移円軌道へ前記人工衛星を投入する際に必要な増速量の和を、第１の投入ルートについてのルート情報として算出し、
前記軌道要素を定義する情報に基づいて、前記静止遷移軌道から、その遠地点に降交点が一致するとともに前記傾斜同期軌道と同じ軌道傾斜角を持つ第１遷移円軌道へ前記人工衛星を投入する際に必要な増速量，及び、その第１遷移円軌道から、その第１遷移円軌道と同じ軌道傾斜角及び軌道長半径を持つとともに前記傾斜同期軌道と同じ昇交点赤径を持つ第２遷移円軌道へ人工衛星を投入する際に必要な増速量の和を、第２の投入ルートについてのルート情報として算出し、
前記軌道要素を定義する情報に基づいて、前記静止遷移軌道から、その遠地点に昇交点が一致するとともに軌道傾斜角が前記静止遷移軌道と一致する第１遷移円軌道へ前記人工衛星を投入する際に必要な増速量，及び、その第１遷移円軌道から、その第１遷移軌道と同じ軌道長半径を持つとともに前記傾斜同期軌道と同じ昇交点赤径及び軌道傾斜角を持つ第２遷移円軌道へ前記人工衛星を投入する際に必要な増速量の和を、第３の投入ルートについてのルート情報として算出し、所定の抽出条件に基づいて、前記第１乃至第３の投入ルートの各ルート情報のなかから１つのルート情報を抽出し、
抽出したルート情報に対応する投入ルートを定義する情報を前記所定画面に含める
ことを特徴とする投入ルート提案装置。
【請求項６】
コンピュータに対し、
人工衛星を待機軌道から静止軌道へ投入するための静止遷移軌道の軌道要素を定義する情報，及び、準天頂軌道の持つ多数の傾斜同期軌道のうちの一つの軌道要素を定義する情報を、受付させ、
前記両情報を受け付けた場合には、
前記軌道要素を定義する情報に基づいて、前記静止遷移軌道から、その遠地点に昇交点が一致するとともに前記傾斜同期軌道と同じ軌道傾斜角を持つ第１遷移円軌道へ前記人工衛星を投入する際に必要な増速量，及び、その第１遷移円軌道から、その第１遷移円軌道と同じ軌道傾斜角及び軌道長半径を持つとともに前記傾斜同期軌道と同じ昇交点赤径を持つ第２遷移円軌道へ前記人工衛星を投入する際に必要な増速量の和を、第１の投入ルートについてのルート情報として算出させ、
前記軌道要素を定義する情報に基づいて、前記静止遷移軌道から、その遠地点に降交点が一致するとともに前記傾斜同期軌道と同じ軌道傾斜角を持つ第１遷移円軌道へ前記人工衛星を投入する際に必要な増速量，及び、その第１遷移円軌道から、その第１遷移円軌道と同じ軌道傾斜角及び軌道長半径を持つとともに前記傾斜同期軌道と同じ昇交点赤径を持つ第２遷移円軌道へ人工衛星を投入する際に必要な増速量の和を、第２の投入ルートについてのルート情報として算出させ、前記軌道要素を定義する情報に基づいて、前記静止遷移軌道から、その遠地点に昇交点が一致するとともに軌道傾斜角が前記静止遷移軌道と一致する第１遷移円軌道へ前記人工衛星を投入する際に必要な増速量，及び、その第１遷移円軌道から、その第１遷移軌道と同じ軌道長半径を持つとともに前記傾斜同期軌道と同じ昇交点赤径及び軌道傾斜角を持つ第２遷移円軌道へ前記人工衛星を投入する際に必要な増速量の和を、第３の投入ルートについてのルート情報として算出させ、
所定の抽出条件に基づいて、前記第１乃至第３の投入ルートの各ルート情報のなかから１つのルート情報を抽出させ、
抽出されたルート情報に対応する投入ルートを定義する情報を含む画面を表示させる
ことを特徴とする投入ルート提案プログラム。
【発明の詳細な説明】
【０００１】
【発明の属する技術分野】
本発明は、いわゆる準天頂軌道へ人工衛星を投入するための衛星投入方法と、人工衛星を準天頂軌道へ投入するための最適なルートを従事者に提案するための投入ルート提案装置と、このような投入ルート提案装置としてコンピュータを機能させる投入ルート提案プログラムとに、関する。
【０００２】
【従来の技術】
周知のように、人工衛星の軌道の一つに静止軌道［Ｇｅｏｓｔａｔｉｏｎａｒｙ  Ｅａｒｔｈ  Ｏｒｂｉｔ］がある。この静止軌道は、地球の重心である地心を中心とする円軌道であり、地球の赤道を含むいわゆる赤道面内において実現される軌道である。この静止軌道上にある人工衛星は、地球の自転周期とほぼ同じ周期にて地球の周囲を回転するため、地上からは、天空内の同じ位置に静止しているように見える。このような静止軌道は、通常、気象衛星や通信衛星などに採用されている。
【０００３】
また、一般に、人工衛星が複雑な手順を経て静止軌道に投入されることが、知られている。その概略としては、人工衛星は、まず、打ち上げロケットによって引力圏脱出速度が与えられることによって地球の引力圏外へ出され、いわゆる待機軌道である高度約２００ｋｍ〜約３００ｋｍの円軌道に一旦投入される。続いて、人工衛星は、この待機軌道を一周する前に、その待機軌道上の一点において打ち上げロケットによって所定の方向に向けて再加速されることにより、待機軌道上に近地点を持つとともに静止軌道上に遠地点を持つ楕円軌道であるいわゆる静止遷移軌道［Ｇｅｏｓｔａｔｉｏｎａｒｙ  Ｔｒａｎｓｆｅｒ  Ｏｒｂｉｔ］に投入され、打ち上げロケットから切り離される。そして、人工衛星がこの静止遷移軌道の遠地点を通過するたびに、人工衛星に搭載されている反動推進用のアポジロケット（固体燃料を使用する場合にはアポジモータといい、液体燃料を使用する場合にはアポジエンジンという）が点火されて所定量の燃焼ガスが僅かな期間だけ噴射されることにより、人工衛星が遠地点で繰り返し加速され、静止遷移軌道が徐々に円軌道に修正される。
【０００４】
ところで、このような静止軌道上にある人工衛星を地上から見るときの仰角は、緯度がおよそ３０°乃至６０°である日本のような中緯度地域においては、それほど大きくないため、人工衛星との間で送受信される放送用や測位用などの各種電波が山や高層ビルなどによって遮られることがあった。そのため、最近では、このような欠点を可及的に解消できる新たな軌道として、準天頂軌道が提案されている。
【０００５】
この準天頂軌道は、赤道面に対して軌道面が傾斜しているとともに地球の自転周期と同じ周期にて人工衛星を移動させるいわゆる傾斜同期軌道［Ｉｎｃｌｉｎｅｄ  Ｓｙｎｃｈｒｏｎｏｕｓ  Ｏｒｂｉｔ］を三つ（又は四つ）備えており、準天頂軌道としての機能は、これら三つ（又は四つ）の傾斜同期軌道について以下の三つの条件を成立させることにより、達成される。その条件は、第１に、各傾斜同期軌道の軌道面が赤道面に対して４０°乃至５０°ほど傾いていることであり、第２に、各傾斜同期軌道の昇交点赤径（後述）が１２０°ずつ（傾斜同期軌道が四つの場合には９０°ずつ）ずれていることであり、第３に、人工衛星が後述の昇交点を通過するタイミングが約８時間ずつ（傾斜同期軌道が四つの場合には約６時間ずつ）ずれていることである。なお、昇交点とは、傾斜同期軌道と赤道面との二つの交点のうち、人工衛星が地球の南極側から北極側に向かって横切る交点を言い、昇交点赤径とは、地心を原点とするとともに赤道面内の各方向を０°の緯度とするいわゆる赤道座標において、春分の日にある太陽を赤道面に投影したときの位置である春分点に対する昇交点の経度を言う。この準天頂軌道によれば、中緯度地域において、何れかの人工衛星が、天空内における仰角が約７０°以上の領域に、常に配置されることとなるため、上記の各種電波が山や高層ビルに遮られることが少なくなる。
【０００６】
なお、軌道面の大きな回転を伴うような一般的な軌道変換の方法としては、例えば、効率の良い燃料（推薬）を用いて推進力の小さなスラスタ（推進用モータ）を連続的に使用することにより所定の楕円軌道を徐々に修正しながら任意の軌道へと変化させる方法（特許文献１参照）や、地球と月と人工衛星の重力及び遠心力が釣り合う安定位置へ人工衛星を一旦運んだ後、任意の軌道に投入できるようになるまでその安定位置で人工衛星を待機させる方法（特許文献２参照）がある。
【０００７】
【特許文献１】
特開平１０−０２９５９９号公報
【特許文献２】
特表２００１−５１８８６１号公報
【０００８】
【発明が解決しようとする課題】
ところで、静止軌道に人工衛星を投入する場合、打ち上げロケットの発射時から人工衛星の軌道投入時までに掛けられる期間は、およそ十日である。そして、上述した準天頂軌道においても、静止軌道の場合と同様に、できるだけ短い期間で人工衛星が各傾斜同期軌道に投入されることが、その業務に携わっている従事者により、希望されている。
【０００９】
しかしながら、上述したような従来の方法によって準天頂軌道に人工衛星を投入する場合、打ち上げロケットの発射時から人工衛星を傾斜同期軌道に投入するまでに、数十日から数百日を要することが、容易に見積もられ得る。このように軌道投入に時間が掛かるという問題があると、結果的に、人工衛星を使ったシステムを立ち上げる際にも時間が掛かることとなり、更には、人工衛星が故障した際に代用の人工衛星を打ち上げることによってシステム全体を復旧させる際にも、時間が掛かることとなる。
【００１０】
なお、従来の方法に因らないで準天頂軌道における各傾斜同期軌道に人工衛星を投入する方法が、考えられなくはない。例えば、図２１に示されるような方法である。この方法は、目的とする傾斜同期軌道ＩＳＯの昇交点Ｎに対して遠地点が一致している静止遷移軌道ＧＴＯに向けて人工衛星を投入し、続いて、その静止遷移軌道ＧＴＯの遠地点において、人工衛星の速度方向が静止遷移軌道ＧＴＯの接線方向から傾斜同期軌道ＩＳＯの接線方向へ変換されるような速度成分（図２１の太線の矢印の方向を向く速度成分）を人工衛星に与えるように、アポジロケットを点火するというものである。
【００１１】
この図２１に示されるような方法によると、打ち上げロケットの射場（発射地点）と各傾斜同期軌道ＩＳＯの昇交点Ｎの位置とが決まっていると、地球の自転や公転の関係から、自ずと、打ち上げ可能な日時が幾つか決まってしまう。しかしながら、地球上の或る地点にある管制塔から上空の人工衛星へ姿勢制御のための指示を送ることができる時間帯や時期が、太陽の向きや地球の向きや人工衛星の向き等の影響によって非常に限られている。このため、準天頂軌道用の人工衛星を搭載した打ち上げロケットを発射することができる時が、一年のうちにほんの限られた期間、且つ一日の中でごく限られた時間帯となってしまうという問題がある。このような問題があると、上述したシステムの立ち上げ時や故障からの復旧時に、できるだけ短い期間で人工衛星を傾斜同期軌道ＩＳＯに投入することができないこととなる。
【００１２】
本発明は、上述したような従来技術の有する問題点に鑑みてなされたものであり、その課題は、準天頂軌道の傾斜同期軌道の昇交点に静止遷移軌道の遠地点が一致しないような日時に人工衛星を打ち上げる場合でも、できるだけ少ない燃料にて、静止遷移軌道に投入された人工衛星を、任意の昇交点赤径を持つ傾斜同期軌道へ素早く投入することができる衛星投入方法と、人工衛星を任意の傾斜同期軌道へ投入するための最適なルートを従事者に対して提案するための投入ルート提案装置と、このような投入ルート提案装置としてコンピュータを機能させる投入ルート提案プログラムとを、提供することにある。
【００１３】
【課題を解決するための手段】
上記の課題を解決するために、本発明による衛星投入方法は、以下のような構成を採用した。
【００１４】
すなわち、本発明による衛星投入方法は、人工衛星を待機軌道から静止軌道へ投入するための静止遷移軌道から、準天頂軌道の持つ多数の傾斜同期軌道のうちの一つに向けて人工衛星を投入するための衛星投入方法であって、前記静止遷移軌道から、その遠地点に昇交点が一致するとともに前記傾斜同期軌道と同じ軌道傾斜角を持つ第１遷移円軌道へ前記人工衛星を投入し、その後に、その第１遷移円軌道から、その第１遷移円軌道と同じ軌道傾斜角及び軌道長半径を持つとともに前記傾斜同期軌道と同じ昇交点赤径を持つ第２遷移円軌道へ前記人工衛星を投入する第１の投入ルート、前記静止遷移軌道から、その遠地点に降交点が一致するとともに前記傾斜同期軌道と同じ軌道傾斜角を持つ第１遷移円軌道へ前記人工衛星を投入し、その後に、その第１遷移円軌道から、その第１遷移円軌道と同じ軌道傾斜角及び軌道長半径を持つとともに前記傾斜同期軌道と同じ昇交点赤径を持つ第２遷移円軌道へ人工衛星を投入する第２の投入ルート、及び、前記静止遷移軌道から、その遠地点に昇交点が一致するとともに軌道傾斜角が前記静止遷移軌道と一致する第１遷移円軌道へ前記人工衛星を投入し、その後に、その第１遷移円軌道から、その第１遷移軌道と同じ軌道長半径を持つとともに前記傾斜同期軌道と同じ昇交点赤径及び軌道傾斜角を持つ第２遷移円軌道へ前記人工衛星を投入する第３の投入ルートのうちの１つに、前記人工衛星を投入することを、特徴としている。
【００１５】
このように構成されると、準天頂軌道の傾斜同期軌道の昇交点に静止遷移軌道の遠地点が一致しないような日時に人工衛星を打ち上げる場合に、静止遷移軌道に投入された人工衛星を傾斜同期軌道へ投入する場合に経るべき投入ルートを、第１乃至第３の投入ルートのなかから選択することができる。従って、従事者は、これら第１乃至第３の投入ルートのなかから最適の投入ルートを選択することにより、できるだけ少ない燃料にて、静止遷移軌道に投入された人工衛星を、任意の昇交点赤径を持つ傾斜同期軌道へ素早く投入することができる。
【００１６】
なお、本発明の衛星投入方法においては、静止遷移軌道から第１及び／又は第２遷移円軌道へ人工衛星を投入する際に、その人工衛星に搭載されるロケットを、作動させることができる。
【００１７】
そのロケットは、人工衛星に推進用として搭載されているスラスタであっても良いが、静止遷移軌道の遠地点において作動させるために搭載されているアポジロケットであることが好ましい。また、このロケットは、固体燃料を使用するロケットであるモータであっても良いし、液体燃料を使用するロケットであるエンジンであっても良い。そのエンジンは、一液触媒燃焼ロケットであっても良いが、比推力等を考慮すると、二液燃焼ロケットであるほうが好ましい。
【００１８】
また、上記の課題を解決するために、本発明による投入ルート提案装置は、以下のような構成を採用した。
【００１９】
すなわち、本発明による投入ルート提案装置は、人工衛星を待機軌道から静止軌道へ投入するための静止遷移軌道から、準天頂軌道の持つ多数の傾斜同期軌道のうちの一つに向けて人工衛星を投入する計画を立案する際に用いられる投入ルート提案装置であって、各種画面を表示するための表示部と、各種情報を入力するための入力部と、前記静止遷移軌道及び前記傾斜同期軌道の軌道要素を定義する情報が前記入力部から入力されると、所定画面を前記表示部に表示させる制御部とを備え、前記制御部は、前記軌道要素を定義する情報に基づいて、前記静止遷移軌道から、その遠地点に昇交点が一致するとともに前記傾斜同期軌道と同じ軌道傾斜角を持つ第１遷移円軌道へ前記人工衛星を投入する際に必要な増速量，及び、その第１遷移円軌道から、その第１遷移円軌道と同じ軌道傾斜角及び軌道長半径を持つとともに前記傾斜同期軌道と同じ昇交点赤径を持つ第２遷移円軌道へ前記人工衛星を投入する際に必要な増速量の和を、第１の投入ルートについてのルート情報として算出し、前記軌道要素を定義する情報に基づいて、前記静止遷移軌道から、その遠地点に降交点が一致するとともに前記傾斜同期軌道と同じ軌道傾斜角を持つ第１遷移円軌道へ前記人工衛星を投入する際に必要な増速量，及び、その第１遷移円軌道から、その第１遷移円軌道と同じ軌道傾斜角及び軌道長半径を持つとともに前記傾斜同期軌道と同じ昇交点赤径を持つ第２遷移円軌道へ人工衛星を投入する際に必要な増速量の和を、第２の投入ルートについてのルート情報として算出し、前記軌道要素を定義する情報に基づいて、前記静止遷移軌道から、その遠地点に昇交点が一致するとともに軌道傾斜角が前記静止遷移軌道と一致する第１遷移円軌道へ前記人工衛星を投入する際に必要な増速量，及び、その第１遷移円軌道から、その第１遷移軌道と同じ軌道長半径を持つとともに前記傾斜同期軌道と同じ昇交点赤径及び軌道傾斜角を持つ第２遷移円軌道へ前記人工衛星を投入する際に必要な増速量の和を、第３の投入ルートについてのルート情報として算出し、所定の抽出条件に基づいて、前記第１乃至第３の投入ルートの各ルート情報のなかから１つのルート情報を抽出し、抽出したルート情報に対応する投入ルートを定義する情報を前記所定画面に含めることを、特徴としている。
【００２０】
このように構成されると、静止遷移軌道の軌道要素と傾斜同期軌道の軌道要素が入力部に入力された場合に、第１乃至第３の投入ルートのなかから所定の抽出条件に基づいて抽出された投入ルートを定義する情報を含む画面が、表示部に表示される。従って、従事者は、入力部に軌道要素を入力することによって表示部に表示された画面により、最適な投入ルートを取得することができる。
【００２１】
また、上記の課題を解決するために、本発明による投入ルート提案プログラムは、以下の構成を採用した。
【００２２】
すなわち、本発明による投入ルート提案プログラムは、コンピュータに対し、人工衛星を待機軌道から静止軌道へ投入するための静止遷移軌道の軌道要素を定義する情報，及び、準天頂軌道の持つ多数の傾斜同期軌道のうちの一つの軌道要素を定義する情報を、受付させ、前記両情報を受け付けた場合には、前記軌道要素を定義する情報に基づいて、前記静止遷移軌道から、その遠地点に昇交点が一致するとともに前記傾斜同期軌道と同じ軌道傾斜角を持つ第１遷移円軌道へ前記人工衛星を投入する際に必要な増速量，及び、その第１遷移円軌道から、その第１遷移円軌道と同じ軌道傾斜角及び軌道長半径を持つとともに前記傾斜同期軌道と同じ昇交点赤径を持つ第２遷移円軌道へ前記人工衛星を投入する際に必要な増速量の和を、第１の投入ルートについてのルート情報として算出させ、前記軌道要素を定義する情報に基づいて、前記静止遷移軌道から、その遠地点に降交点が一致するとともに前記傾斜同期軌道と同じ軌道傾斜角を持つ第１遷移円軌道へ前記人工衛星を投入する際に必要な増速量，及び、その第１遷移円軌道から、その第１遷移円軌道と同じ軌道傾斜角及び軌道長半径を持つとともに前記傾斜同期軌道と同じ昇交点赤径を持つ第２遷移円軌道へ人工衛星を投入する際に必要な増速量の和を、第２の投入ルートについてのルート情報として算出させ、前記軌道要素を定義する情報に基づいて、前記静止遷移軌道から、その遠地点に昇交点が一致するとともに軌道傾斜角が前記静止遷移軌道と一致する第１遷移円軌道へ前記人工衛星を投入する際に必要な増速量，及び、その第１遷移円軌道から、その第１遷移軌道と同じ軌道長半径を持つとともに前記傾斜同期軌道と同じ昇交点赤径及び軌道傾斜角を持つ第２遷移円軌道へ前記人工衛星を投入する際に必要な増速量の和を、第３の投入ルートについてのルート情報として算出させ、所定の抽出条件に基づいて、前記第１乃至第３の投入ルートの各ルート情報のなかから１つのルート情報を抽出させ、抽出されたルート情報に対応する投入ルートを定義する情報を含む画面を表示させることを、特徴としている。
【００２３】
従って、この投入ルート提案プログラムによると、上述したような本発明の投入ルート提案装置としてコンピュータを機能させることができることになる。
【００２４】
【発明の実施の形態】
以下、図面に基づいて本発明の実施の形態を説明する。
【００２５】
＜軌道要素について＞
まず、本実施形態の説明に先立ち、人工衛星の軌道を定義するための軌道要素について、説明する。図１は、この軌道要素の説明に用いられる概略図である。本実施形態の説明において用いられる軌道要素には、昇交点赤経［Ｒｉｇｈｔ  Ａｓｃｅｎｓｉｏｎ  ｏｆ  Ａｓｃｅｎｄｉｎｇ  Ｎｏｄｅ］Ω，軌道傾斜角［Ｏｒｂｉｔａｌ  Ｉｎｃｌｉｎａｔｉｏｎ］ｉ，離心率［Ｅｃｃｅｎｔｒｉｃｉｔｙ］ｅ，軌道長半径［Ｓｅｍｉ  Ｍａｊｏｒ  Ａｘｉｓ］ａ，近地点引数［Ａｒｇｕｍｅｎｔ  ｏｆ  Ｐｅｒｉｇｅｅ］ω，及び、平均近点離角［Ｍｅａｎ  Ａｎｏｍａｌｙ］Ｍがある。
【００２６】
昇交点赤経Ωとは、地球の重心である地心Ｃを原点とするとともに地球の赤道を含む赤道面［Ｅｑｕａｔｏｒｉａｌ  Ｐｌａｎｅ］ＥＰ内の各方向を０°の緯度とするいわゆる赤道座標において、春分の日にある太陽を赤道面ＥＰに投影したときの位置である春分点γに対する昇交点［Ａｓｃｅｎｄｉｎｇ  Ｎｏｄｅ  又は  Ｎｏｒｔｈｂｏｕｎｄ  Ｎｏｄｅ］Ｎの経度を言う。なお、その昇交点Ｎとは、人工衛星の軌道と赤道面ＥＰとの二つの交点のうち、人工衛星が地球の南極側から北極側に向かって横切る交点を言う。また、この昇交点Ｎの反対側にある交点は、降交点［Ｄｅｓｃｅｎｄｉｎｇ  Ｎｏｄｅ  又は  Ｓｏｕｔｈｂｏｕｎｄ  Ｎｏｄｅ］Ｓと言う。
【００２７】
軌道傾斜角ｉとは、人工衛星の軌道を含む平面を軌道面ＯＰとしたとき、この軌道面ＯＰが赤道面ＥＰに対してなす角度を言う。この軌道傾斜角ｉと上述した昇交点赤経Ωは、軌道面ＯＰの赤道座標内での向きを定義する軌道要素である。
【００２８】
離心率ｅとは、図１には示されていないが、軌道の楕円の度合いを示す比率を言う。具体的には、離心率ｅは、０に近付くほど軌道が円であることを示し、１に近付くほど軌道が細長い楕円であることを示す。つまり、離心率ｅは、軌道の形状を定義する軌道要素である。
【００２９】
軌道長半径ａとは、軌道の長径の半分の長さを言う。つまり、この軌道長半径ａは、軌道の大きさを定義する軌道要素である。
【００３０】
近地点引数ωとは、軌道面ＯＰと赤道面ＥＰとの交線に対して軌道の長軸がなす角度を言う。具体的には、近地点引数ωは、軌道上において地心Ｃに最も近い近地点［Ｐｅｒｉｇｅｅ  又は  Ｐｅｒｉａｐｓｉｓ］が昇交点Ｎに一致している場合に０°を示し、軌道上において地心Ｃから最も遠い遠地点［Ａｐｏｇｅｅ  又は  Ａｐｏａｐｓｉｓ］が昇交点Ｎに一致している場合に１８０°を示す。つまり、近地点引数ωは、軌道面ＯＰ内での軌道の向きを定義する軌道要素である。
【００３１】
平均近点離角Ｍは、図１に示されていないが、人工衛星が或る時刻にその軌道上のどの位置に存在しているかを示す角度である。具体的には、平均近点離角Ｍは、人工衛星が近地点にある場合に０°を示し、人工衛星が遠地点にある場合に１８０°を示す。なお、或る時刻とは、エポック時と称されており、協定世界時［Ｕｎｉｖｅｒｓａｌ  Ｔｉｍｅ  Ｃｏｏｒｄｉｎａｔｅｄ］により表現される。
【００３２】
ところで、人工衛星の軌道を計算するためには、上記の６つの軌道要素以外のものも幾つか用いられるが（例えばドラグ）、それらは本発明には関係ないので、それらの説明を省略する。
【００３３】
＜準天頂軌道について＞
次に、本実施形態により人工衛星が最終的に投入される軌道である準天頂軌道について、説明する。この準天頂軌道は、地球における緯度がおよそ３０°乃至６０°である中緯度地域に含まれる狭い領域（国土）に対して適用するために提案された軌道である。図２は、この準天頂軌道の説明に用いられる概略図である。本実施形態の準天頂軌道は、赤道面ＥＰに対して軌道面が傾斜しているとともに地球の自転周期と同じ周期にて人工衛星を移動させる三つの傾斜同期軌道［Ｉｎｃｌｉｎｅｄ  Ｓｙｎｃｈｒｏｎｏｕｓ  Ｏｒｂｉｔ］ＩＳＯ１〜ＩＳＯ３を、備えている。また、準天頂軌道がその機能を実現するためには、これら三つの傾斜同期軌道ＩＳＯ１〜ＩＳＯ３は、以下の三つの条件を成立させねばならない。その条件は、第１に、各傾斜同期軌道ＩＳＯ１〜ＩＳＯ３の軌道面ＩＰ１〜ＩＰ３が赤道面ＥＰに対して４０°乃至５０°ほど傾いていることであり、第２に、各傾斜同期軌道ＩＳＯ１〜ＩＳＯ３の昇交点赤径Ωが１２０°の角度間隔にて離れていることであり、第３に、各傾斜同期軌道ＩＳＯ１〜ＩＳＯ３上にある三つの人工衛星の各々の昇交点Ｎ１〜Ｎ３を通過するタイミングが約８時間ずつずれていることである。
【００３４】
＜傾斜同期軌道への投入ルートについて＞
次に、本実施形態において用いられる人工衛星の傾斜同期軌道ＩＳＯへの投入ルートについて、説明する。本実施形態においては、三つの投入ルートが用いられる。以下では、先に、何れの投入ルートにおいても共通する部分について説明し、その後に、第１乃至第３の投入ルートについて、順に説明する。
【００３５】
（共通部分）
まず、打ち上げロケットによって人工衛星に対して引力圏脱出速度を与えることにより、その人工衛星を地球の引力圏外へ脱出させ、いわゆる待機軌道である高度約２００ｋｍ〜約３００ｋｍの円軌道に一旦投入する。続いて、人工衛星がこの待機軌道を一周する前に、その待機軌道上の一点において打ち上げロケットによって所定の方向に向けて人工衛星を再加速させることにより、待機軌道上に近地点を持つとともに静止軌道上に遠地点を持つ楕円軌道であるいわゆる静止遷移軌道［Ｇｅｏｓｔａｔｉｏｎａｒｙ  Ｔｒａｎｓｆｅｒ  Ｏｒｂｉｔ］ＧＴＯに人工衛星を投入し、人工衛星から打ち上げロケットを切り離す。ここまでは、人工衛星を静止軌道［Ｇｅｏｓｔａｔｉｏｎａｒｙ  Ｅａｒｔｈ  Ｏｒｂｉｔ］へ投入する方法と何ら変わらない。
【００３６】
なお、以下に説明する第１乃至第３の投入ルートでは、人工衛星は、静止遷移軌道ＧＴＯから一旦別の円軌道へ投入され、更に別の円軌道へ投入された後に、目的とする傾斜同期軌道へ投入される。そこで、以下では、説明のために、静止遷移軌道ＧＴＯの次に人工衛星が投入される円軌道を「第１遷移円軌道」と言い、第１遷移円軌道の次に人工衛星が投入される円軌道を「第２遷移円軌道」と言うことにする。また、以下の説明において、目的とする傾斜同期軌道ＩＳＯに関する軌道要素については、“ｋ”の下付き文字を用いて、（Ωｋ，ｉｋ，ｅｋ，ａｋ）と表現し、静止遷移軌道ＧＴＯに関する軌道要素については、“ｔ”の下付き文字を用いて、（Ωｔ，ｉｔ，ｅｔ，ａｔ）と表現する。但し、投入ルートの説明においては、近地点引数ωと平均近点離角Ｍは使わない。
【００３７】
（第１の投入ルート）
第１の投入ルートでは、人工衛星を静止遷移軌道ＧＴＯへ投入した後、この静止遷移軌道ＧＴＯの遠地点に人工衛星が差し掛かったところで、人工衛星に搭載されている反動推進用の二液式ロケットであるエンジンを点火して所定量の燃焼ガスを僅かな期間に噴射させることによって、後述する方向に向かって後述の速度成分を与えるように人工衛星を加速させ、その結果、以下に説明するような第１遷移円軌道へ人工衛星を投入する。図３は、第１の投入ルートにおける第１遷移円軌道の説明に用いられる概略図である。この図３に示されるように、第１の投入ルートにおける第１遷移円軌道は、静止遷移軌道ＧＴＯの昇交点赤径Ωｔと同じ昇交点赤径Ωを持ち、目的とする傾斜同期軌道ＩＳＯの軌道傾斜角ｉｋと同じ軌道傾斜角ｉを持つとともに、静止遷移軌道ＧＴＯのアポジ半径ｒｔ（＝軌道長半径ａｔ×（１＋離心率ｅｔ））と同じ長さの軌道長半径ａを持つ。このような軌道変換（Ω：Ωｔ，ｉ：ｉｔ→ｉｋ，ｅ：ｅｔ→０，ａ：ａｔ→ｒｔ）の結果、静止遷移軌道ＧＴＯの遠地点Ａが第１遷移円軌道の昇交点Ｎに変換される。ところで、静止遷移軌道ＧＴＯの遠地点Ａにおいて人工衛星が持つ速度ベクトルをＶｔとし、第１遷移円軌道の昇交点Ｎにおいて人工衛星が持つ速度ベクトルをＶ１としたとき、この軌道変換において人工衛星に与えられる速度成分ΔＶＡａは、合成ベクトル（Ｖ１−Ｖｔ）の方向、つまり、図３の太線の矢印の方向を向いている。また、軌道傾斜角の変位量をΔｉＡ（＝ｉｋ−ｉｔ）とし、Ｖｔ及びＶ１がスカラー量であるとしたとき、この軌道変換において人工衛星に与えられる速度成分ΔＶＡａの大きさは、√［（Ｖｔ）２＋（Ｖ１）２−２・（Ｖｔ）・（Ｖ１）・ｃｏｓΔｉＡ］である。なお、この軌道変換においてエンジンによって使用される推薬量ΔｍＡａは、人工衛星の制御前の質量ｍｓａｔ，人工衛星に与える速度成分のスカラー量である増速量ΔＶ，エンジンの燃料である推薬の比推力ＩＳＰ，及び重力加速度ｇに基づいて、いわゆる推薬計算公式（ΔｍＡａ＝ｍｓａｔ［１−ｅ−（ΔＶ／ｇ・ＩＳＰ）］により決定される。
【００３８】
続いて、この第１遷移円軌道上を移動中の人工衛星が昇交点Ｎと降交点Ｓとの中間地点Ｈに差し掛かったところで、エンジンから所定量の燃焼ガスを僅かな期間に噴射させることによって、後述の方向に向かって後述の速度成分を与えるように人工衛星を再加速させ、その結果、以下に説明するような第２遷移円軌道へ人工衛星を投入する。図４は、第１の投入ルートにおける第２遷移円軌道の説明に用いられる概略図である。この図４に示されるように、第１の投入ルートにおける第２遷移円軌道は、第１遷移円軌道における昇交点Ｎ及び降交点Ｓの中間地点Ｈと地心Ｃとを結ぶ軸回りに第１遷移円軌道を回転させたのと等価な円軌道であり、目的とする傾斜同期軌道ＩＳＯの昇交点赤径Ωｋと同じ昇交点赤径Ωを持つ。このような軌道変換（Ω：Ωｔ→Ωｋ，ｉ：ｉｋ，ｅ：０，ａ：ｒｔ）の結果、昇交点Ｎが、静止遷移軌道ＧＴＯの昇交点赤径Ωｔの位置から傾斜同期軌道ＩＳＯの昇交点赤径Ωｋの位置まで、地心Ｃの周りを回転する。ところで、第１遷移円軌道の地点Ｈにおいて人工衛星が持つ速度ベクトルをＶ１とし、第２遷移円軌道の地点Ｈにおいて人工衛星が持つ速度ベクトルＶ２としたとき、この軌道変換において人工衛星に与えられる速度成分ΔＶＡｂは、合成ベクトル（Ｖ２−Ｖ１）の方向、つまり、図４の太線の矢印の方向を向いている。また、Ｖ１及びＶ２がスカラー量であるとしたとき、Ｖ１＝Ｖ２であるので、この軌道変換において人工衛星に与えられる速度成分ΔＶＡｂの大きさは、昇交点赤径Ωの変位量をΔΩ（＝Ωｋ−Ωｔ）としたとき、ｓｉｎ（ｉｋ）・Ｖ１・√（２−２ｃｏｓΔΩ）である。なお、この軌道変換においてエンジンによって使用される推薬量ΔｍＡｂは、上記推薬計算公式により決定される。
【００３９】
最後に、周知の面内軌道制御方法であるホーマン軌道制御方法に従って、エンジンを随時点火することにより、同一軌道面内において、第２遷移円軌道から目的の傾斜同期軌道ＩＳＯへと軌道の形状を整える（Ω：Ωｋ，ｉ：ｉｋ，ｅ：０→ｅｋ，ａ：ｒｔ→ａｋ）。
【００４０】
（第２の投入ルート）
第２の投入ルートでは、人工衛星を静止遷移軌道ＧＴＯへ投入した後、この静止遷移軌道ＧＴＯの遠地点において、エンジンから所定量の燃焼ガスを僅かな期間に噴射させることによって、後述の方向に向かって後述の速度成分を与えるように人工衛星を加速させ、その結果、以下に説明するような第１遷移円軌道へ人工衛星を投入する。図５は、第２の投入ルートにおける第１遷移円軌道の説明に用いられる概略図である。この図５に示されるように、第２の投入ルートにおける第１遷移円軌道は、静止遷移軌道ＧＴＯの昇交点赤径Ωｔに１８０°加えた経度と同じ昇交点赤径Ωを持ち、目的とする傾斜同期軌道ＩＳＯの軌道傾斜角ｉｋと同じ軌道傾斜角ｉを持つとともに、静止遷移軌道ＧＴＯのアポジ半径ｒｔと同じ長さの軌道長半径ａを持つ。このような軌道変換（Ω：Ωｔ→Ωｔ＋１８０°，ｉ：ｉｔ→ｉｋ，ｅ：ｅｔ→０，ａ：ａｔ→ｒｔ）の結果、静止遷移軌道ＧＴＯの遠地点Ａがこの円軌道の降交点Ｓに変換される。ところで、静止遷移軌道ＧＴＯの遠地点Ａにおいて人工衛星が持つ速度ベクトルをＶｔとし、第１遷移軌道の降交点Ｓにおいて人工衛星が持つ速度ベクトルをＶ１としたとき、この軌道変換において人工衛星に与えられる速度成分ΔＶＢａは、合成ベクトル（Ｖ１−Ｖｔ）の方向、つまり、図５の太線の矢印の方向を向いている。また、軌道傾斜角の変位量をΔｉＢ（＝ｉｋ＋ｉｔ）とし、Ｖｔ及びＶ１がスカラー量であるとしたとき、この軌道変換において人工衛星に与えられる速度成分ΔＶＢａは、√［（Ｖｔ）２＋（Ｖ１）２−２・  （Ｖｔ）・（Ｖ１）・ｃｏｓΔｉＢ］である。なお、この軌道変換においてエンジンによって使用される推薬量ΔｍＢａは、上記推薬計算公式により決定される。
【００４１】
続いて、この第１遷移円軌道上を移動中の人工衛星が昇交点Ｎと降交点Ｓとの中間地点Ｈに差し掛かったところで、第１の投入ルートにおける第１遷移円軌道から第２遷移円軌道への軌道変換と同じ操作を行う。具体的には、この地点Ｈにおいてエンジンから所定量の燃焼ガスを僅かな期間に噴射させることによって、後述の方向に向かって後述の速度成分を与えるように人工衛星を再加速させ、その結果、以下に説明するような第２遷移円軌道へ人工衛星を投入する。図６は、第２の投入ルートにおける第２遷移円軌道の説明に用いられる概略図である。この図６に示されるように、第２の投入ルートにおける第２遷移円軌道は、第１遷移円軌道における昇交点Ｎ及び降交点Ｓの中間地点Ｈと地心Ｃとを結ぶ軸回りに第１遷移円軌道を回転させたのと等価な円軌道であり、目的とする傾斜同期軌道ＩＳＯの昇交点赤径Ωｋと同じ昇交点赤径Ωを持つ。このような軌道変換（Ω：Ωｔ＋１８０°→Ωｋ，ｉ：ｉｋ，ｅ：０，ａ：ｒｔ）の結果、昇交点Ｎが、静止遷移軌道ＧＴＯの昇交点赤径Ωｔに１８０°加えた経度の位置から傾斜同期軌道ＩＳＯの昇交点赤径Ωｋの位置へと、地心Ｃの周りを回転する。ところで、この軌道変換において人工衛星に与えられる速度成分ΔＶＢｂの方向は、第１の投入ルートにおける二回目の軌道変換の場合と同様に、合成ベクトル（Ｖ２−Ｖ１）の方向と表現することができ、その具体的な方向は、図６において太線の矢印にて示されている。また、速度成分ΔＶＢｂの大きさも、第１の投入ルートにおける二回目の軌道変換の場合と同様に、ｓｉｎ（ｉｋ）・Ｖ１・√｛２−２ｃｏｓΔΩ｝と表現することができる。なお、この軌道変換においてエンジンによって使用される推薬量ΔｍＢｂは、上記推薬計算公式により決定される。
【００４２】
そして、最後に、第１の投入ルートと同様にして、ホーマン軌道制御方法に従って、同一軌道面内において、第２遷移円軌道から目的の傾斜同期軌道ＩＳＯへと軌道の形状を整える（Ω：Ωｋ，ｉ：ｉｋ，ｅ：０→ｅｋ，ａ：ｒｔ→ａｋ）。
【００４３】
（第３の投入ルート）
第３の投入ルートでは、人工衛星を静止遷移軌道ＧＴＯへ投入した後、この静止遷移軌道ＧＴＯの遠地点に人工衛星が差し掛かったところで、エンジンから所定量の燃焼ガスを僅かな期間に噴射させることによって、後述の方向に向かって後述の速度成分を与えるように人工衛星を加速させ、その結果、以下に説明するような第１遷移円軌道へ人工衛星を投入する。図７は、第３の投入ルートにおける第１遷移円軌道の説明に用いられる概略図である。この図７に示されるように、第３の投入ルートにおける第１遷移円軌道は、静止遷移軌道ＧＴＯの昇交点赤径Ωｔと同じ昇交点赤径Ωを持ち、静止遷移軌道ＧＴＯの軌道傾斜角ｉｔと同じ軌道傾斜角ｉを持つとともに、静止遷移軌道ＧＴＯのアポジ半径ｒｔと同じ長さの軌道長半径ａを持つ。このような軌道変換（Ω：Ωｔ，ｉ：ｉｔ，ｅ：ｅｔ→０，ａ：ａｔ→ｒｔ）の結果、人工衛星の軌道が、同一軌道面内において静止遷移軌道ＧＴＯから第１遷移円軌道に変換され、静止遷移軌道ＧＴＯの遠地点Ａが、第１遷移円軌道の昇交点Ｎに変換される。ところで、静止遷移軌道ＧＴＯの遠地点Ａにおいて人工衛星が持つ速度ベクトルをＶｔとしたとき、この軌道変換において人工衛星に与えられる速度成分ΔＶＣａは、図７の太線の矢印にて示されるように、Ｖｔと同じ方向を向いている。また、第１遷移軌道の昇交点Ｎにおいて人工衛星が持つ速度ベクトルのスカラー量をＶ１とし、Ｖｔがスカラー量であるとしたとき、この軌道変換において人工衛星に与えられる速度成分ΔＶＣａの大きさは、Ｖ１−Ｖｔである。また、この軌道変換においてエンジンによって使用される推薬量ΔｍＣａは、上記推薬計算公式により決定される。
【００４４】
続いて、この第１遷移円軌道上を移動中の人工衛星が後述の地点に差し掛かったところで、エンジンから所定量の燃焼ガスを僅かな期間に噴射させることによって、後述の方向に向かって後述の速度成分を与えるように人工衛星を再加速させ、その結果、以下に説明するような第２遷移円軌道へ人工衛星を投入する。図８は、第２の投入ルートにおける第２遷移円軌道の説明に用いられる概略図である。この図８に示されるように、第３の投入ルートにおける第２遷移円軌道は、目的とする傾斜同期軌道ＩＳＯの昇交点赤径Ωｋと同じ昇交点赤径Ωを持ち、同じ傾斜同期軌道ＩＳＯのの軌道傾斜角ｉｋと同じ軌道傾斜角ｉを持つとともに、第１遷移円軌道の軌道長半径ｒｔと同じ軌道長半径ａを持つ。従って、この第２遷移円軌道は、第１遷移円軌道を含んで地心Ｃを中心とする仮想的な球面内に、存在することとなり、第１遷移円軌道と二点で交わる。この二点のうちの一点が、上述したエンジンの点火位置とされることにより、第１遷移円軌道を第２遷移円軌道へと変換することが可能となる。図８では、この点をＰとして図示している。このような軌道変換（Ω：Ωｔ→Ωｋ，ｉ：ｉｔ→ｉｋ，ｅ：０，ａ：ｒｔ）の結果、昇交点赤径Ωが、静止遷移軌道ＧＴＯの昇交点赤径Ωｔから目的の傾斜同期軌道ＩＳＯの昇交点赤径Ωｋへと変換されると同時に、軌道傾斜角ｉが、静止遷移軌道ＧＴＯの軌道傾斜角ｉｔから目的の傾斜同期軌道ＩＳＯの軌道傾斜角ｉｋに変換される。ところで、第１遷移円軌道の地点Ｐにおいて人工衛星が持つ速度ベクトルをＶ１とし、第２遷移円軌道の地点Ｐにおいて人工衛星が持つ速度ベクトルＶ２としたとき、この軌道変換において人工衛星に与えられる速度成分ΔＶＣｂは、合成ベクトル（Ｖ２−Ｖ１）の方向、つまり、図８の太線の矢印の方向を向いている。また、Ｖ１及びＶ２がスカラー量であるとしたとき、Ｖ１＝Ｖ２であるので、この軌道変換において人工衛星に与えられる速度成分ΔＶＣｂの大きさは、第１遷移円軌道の軌道面（すなわち静止遷移軌道ＧＴＯの軌道面）の法線ベクトルをＪｔとし、第２遷移円軌道の軌道面（すなわち目的の傾斜同期軌道ＩＳＯの軌道面）の法線ベクトルをＪｋとしたとき、Ｖ１・｜Ｊｋ−Ｊｔ｜である。なお、この軌道変換においてエンジンによって使用される推薬量ΔｍＣｂは、上記推薬計算公式により決定される。
【００４５】
そして、最後に、第１の投入ルートと同様にして、ホーマン軌道制御方法に従って、同一軌道面内において、第２遷移円軌道から目的の傾斜同期軌道ＩＳＯへと軌道の形状を整える（Ω：Ωｋ，ｉ：ｉｋ，ｅ：０→ｅｋ，ａ：ｒｔ→ａｋ）。
【００４６】
＜投入ルートの選択方法について＞
本実施形態では、打ち上げロケットの打ち上げ日時と打ち上げロケットの射場の位置とによって決定される静止遷移軌道ＧＴＯの軌道要素，傾斜同期軌道ＩＳＯの軌道要素，推薬の能力，及び、人工衛星の質量により、上述した第１乃至第３の投入ルートを経るために必要な推薬質量を算出し、この推薬質量に基づいて最適な投入ルートを１つ選択する。そこで、以下では、本実施形態に適用される具体例を一例挙げ、この具体例を用いて、最適な投入ルートについて説明する。
【００４７】
図９は、第１乃至第３の投入ルートに共通する数値が列挙されている表である。この図９には、多数の数値が列挙されているが、このうち、後述する計算に必要な数値としては、地心重力定数μ，重力加速度ｇ，ロケット分離時の人工衛星の質量ｍｓａｔ０，エンジンが使用する推薬の比推力ＩＳＰ０，静止遷移軌道ＧＴＯの軌道傾斜角ｉｔと離心率ｅｔと軌道長半径ａｔとアポジ半径ｒｔと遠地点速度Ｖｔ，並びに、準天頂軌道の傾斜同期軌道ＩＳＯの軌道傾斜角ｉｋと離心率ｅｋと軌道長半径ａｋである。なお、この具体例においては、人工衛星に搭載されているエンジンには、異なる二種類の液体燃料を推薬として用いるアポジエンジンが、採用されている。
【００４８】
図１０及び図１１は、人工衛星が第１の投入ルートを経て傾斜同期軌道ＩＳＯへ投入されるときに必要な全ての推薬質量を、静止遷移軌道ＧＴＯの昇交点赤径Ωｔに対する傾斜同期軌道の昇交点赤径Ωｋの変化量を１０°ずつ変化させた場合について、それぞれ計算したときの計算結果を示す表である。これと同様に、図１２及び図１３は、人工衛星が第２の投入ルートを経る場合の全ての推薬質量の計算結果を示し、図１４乃至図１７は、人工衛星が第３の投入ルートを経る場合の全ての推薬質量の計算結果を示している。但し、図１４及び図１５の表は、互いに組み合わせることによって一つの表として機能する。これと同様に、図１６及び図１７の表も、互いに組み合わせることによって一つの表として機能する。これら図１０乃至図１７の表に列挙される数値は、上述した数式を用いて簡単に算出できるので、詳しく説明しない。また、図１０乃至図１３，図１５，及び図１７の表において最も下側の行に記載されている“合計推薬質量”の値が、静止遷移軌道ＧＴＯから傾斜同期軌道ＩＳＯへ軌道変換する際に必要な全ての推薬質量を、示している。
【００４９】
図１８は、Ω回転の変化量ΔΩを横軸に且つ推薬質量を縦軸にとった二次元座標上において、図１０乃至図１３，図１５，及び図１７の表の最も下側の行に列挙された合計推薬質量をプロットした結果を示すグラフである。
【００５０】
この図１８に示されるように、静止遷移軌道ＧＴＯから傾斜同期軌道ＩＳＯへ人工衛星を投入するために必要な推薬質量は、Ω回転における変化量ΔΩが０°から３１°までは、第１の投入ルートを採用した場合に最も少なく、Ω回転における変化量ΔΩが３１°から１３１°までは、第３の投入ルートを採用した場合に最も少なく、Ω回転における変化量ΔΩが１３１°から１８０°までは、第２の投入ルートを採用した場合に最も少なくなっている。
【００５１】
なお、静止遷移軌道ＧＴＯと傾斜同期軌道の昇交点赤径の差が何れの大きさにあっても、静止遷移軌道ＧＴＯから任意の傾斜同期軌道ＩＳＯへ投入できるようにするためには、図１８に示されるように、４トン弱の推薬を人工衛星に搭載せねばならない。しかし、我が国が開発したＨ−ＩＩＡ型ロケットが静止遷移軌道ＧＴＯへ投入することができるペイロード（搭載物）の重量は５トンであり、増強型の場合は６トンである。このため、準天頂軌道へ投入される人工衛星が１トン級のものであるならば、打ち上げロケットは、その人工衛星を地球の重力圏外へ打ち上げることができる。
【００５２】
従って、傾斜同期軌道ＩＳＯの昇交点に静止遷移円軌道ＧＴＯの遠地点が一致しないような日時に打ち上げロケットにて人工衛星を地球上から発射する場合であっても、静止遷移軌道ＧＴＯに投入された人工衛星を、任意の昇交点赤径Ωを持つ傾斜同期軌道ＩＳＯへ素早く投入することができる。また、打ち上げロケットの射場及び打ち上げ日時、並びに目的の傾斜同期軌道ＩＳＯの軌道要素が判明していれば、エンジン用の燃料（推薬）をできるだけ少なくすることができる。
【００５３】
＜投入ルート提案装置について＞
次に、上述した第１乃至第３の投入ルートの何れが最適な投入ルートであるかを従事者に提案する投入ルート提案装置について、説明する。
【００５４】
（ハードウエア構成）
図１９は、投入ルート提案装置１０を概略的に示す構成図である。この図１９に示されるように、投入ルート提案装置１０は、ＣＰＵ［Ｃｅｎｔｒａｌ  Ｐｒｏｃｅｓｓｉｎｇ  Ｕｎｉｔ］１０ａ，ＲＡＭ［Ｒａｎｄｏｍ  Ａｃｃｅｓｓ  Ｍｅｍｏｒｙ］１０ｂ，表示装置１０ｃ，入力装置１０ｄ，ＦＤＤ［Ｆｌｅｘｉｂｌｅ  Ｄｉｓｋ  Ｄｒｉｖｅ］１０ｅ，ＣＤＤ［Ｃｏｍｐａｃｔ  Ｄｉｓｋ  Ｄｒｉｖｅ］１０ｆ，及びＨＤＤ［Ｈａｒｄ  Ｄｉｓｋ  Ｄｒｉｖｅ］１０ｇを、備えている。
【００５５】
ＣＰＵ１０ａは、この投入ルート提案装置１０全体を制御する中央処理装置である。ＲＡＭ１０ｂは、ＣＰＵ１０ａが各種プログラムを実行するに際しての作業領域が展開される主記憶装置である。表示装置１０ｃは、ＣＰＵ１０ａによって生成された画像を表示するための装置であり、具体的にはブラウン管ディスプレイや液晶ディスプレイである。入力装置１０ｄは、オペレータからの入力を受け付けるための装置であり、具体的にはキーボードやマウスやタッチスクリーンである。ＦＤＤ１０ｅ及びＣＤＤ１０ｆは、コンピュータ可読媒体であるフレキシブルディスクＦＤやコンパクトディスクＣＤに対してデータやプログラムを読み書きする装置である。ＦＤＤ１０ｅ及びＣＤＤ１０ｆによって各ディスクＦＤ，ＣＤから読み出されたデータやプログラムは、ＨＤＤ１０ｇにインストールされる。
【００５６】
ＨＤＤ１０ｇは、ＣＰＵ１０ａによってＲＡＭ１０ｂ上に読み出されて実行される各種プログラムを格納している記録装置である。このＨＤＤ１０ｇが格納しているプログラムには、ハードウエアとソフトウエアとを統合的に管理するためのオペレーションシステムプログラムの他、図２０に示される処理内容を実現させるための投入ルート提案プログラム１１が、含まれている。なお、この投入ルート提案プログラム１１は、フレキシブルディスクＦＤやコンパクトディスクＣＤからＨＤＤ１０ｇにインストールされたものであっても良い。
【００５７】
（処理内容）
人工衛星に関する業務に携わっている従事者が、この投入ルート提案装置１０の入力装置１０ｄを操作して、投入ルート提案プログラム１１をＣＰＵ１０ａに読み込ませると、投入ルート提案処理が開始される。
【００５８】
投入ルート提案処理の開始後、最初のＳ１０１では、ＣＰＵ１０ａは、静止遷移軌道ＧＴＯの軌道要素（ａｔ，ｅｔ，ｉｔ，Ωｔ，ωｔ，Ｍｔ）と傾斜同期軌道ＩＳＯの軌道要素（ａｋ，ｅｋ，ｉｋ，Ωｋ，ωｋ，Ｍｋ）を入力するためのテキストボックスを備えた軌道要素入力画面（図示略）を、表示装置１０ｃに表示する。その後、ＣＰＵ１０ａは、軌道要素入力画面上のＯＫボタンがクリックされるまで待機する。なお、ＣＰＵ１０ａが待機する間に、オペレータである従事者によって各テキストボックスに軌道要素が入力されても良い。そして、従事者が入力装置１０ｄを操作することによってＯＫボタンがクリックされた場合には、ＣＰＵ１０ａは、そのクリック時点において軌道要素入力画面の各テキストボックス内に入力されている軌道要素を取得する。
【００５９】
次のＳ１０２では、ＣＰＵ１０ａは、傾斜同期軌道ＩＳＯの昇交点赤径Ωｋから静止遷移軌道ＧＴＯの昇交点赤径Ωｔを差し引くことにより、昇交点赤径の差ΔΩ（＝Ωｋ−Ωｔ）を算出する。
【００６０】
次のＳ１０３では、ＣＰＵ１０ａは、静止遷移軌道ＧＴＯから第１遷移円軌道への軌道変換に必要なパラメータを算出する。具体的には、ＣＰＵ１０ａは、まず、静止遷移軌道ＧＴＯの軌道長半径ａｔ及び離心率ｅｔからアポジ半径ｒｔを算出し（ｒｔ＝ａｔ・（１＋ｅｔ））、次に、そのアポジ半径ｒｔと軌道長半径ａｔと地心重力定数μとから遠地点速度Ｖｔを算出する（Ｖｔ＝１０００√［μ［（２／ｒｔ）−（１／ａｔ）］］）。続いて、ＣＰＵ１０ａは、静止遷移軌道ＧＴＯのアポジ半径ｒｔから第１遷移円軌道の軌道長半径ａ１を算出し（ａ１＝ｒｔ）、最後に、その軌道長半径ａ１と地心重力定数μとから第１遷移円軌道の速度Ｖ１を算出する（Ｖ１＝１０００√（μ／ａ１））。
【００６１】
次のＳ１０４では、ＣＰＵ１０ａは、Ｓ１０２において算出した昇交点赤径の差ΔΩについて、第１の投入ルートにおける二回の軌道変換において必要な増速量の合計を、算出する。なお、増速量は、上記図１６のグラフにプロットされた合計推薬質量を算出する際に利用される数値であるとともに、この合計推薬質量に比例する。また、この合計推薬質量を算出する際に利用される数値としては、他に、重力加速度，推薬の比推力，及び、ロケット分離時の人工衛星質量があるが、これら数値は、各投入ルートに共通するものであるので、増速量は、合計推薬質量の代わりに、各投入ルート間の比較の対象となり得る。このＳ１０４において、ＣＰＵ１０ａは、まず、静止遷移軌道ＧＴＯから第１遷移円軌道への軌道変換における軌道傾斜角の変化量を算出し（ΔｉＡ＝ｉｋ−ｉｔ）、次に、静止遷移軌道ＧＴＯから第１遷移円軌道への軌道変換において必要な増速量を算出する（ＶＡａ＝√［（Ｖｔ）２＋（Ｖ１）２−２・（Ｖｔ）・（Ｖ１）・ｃｏｓΔｉＡ］）。続いて、ＣＰＵ１０ａは、第１遷移円軌道から第２遷移円軌道への軌道変換において必要な増速量を算出し（ＶＡｂ＝ｓｉｎ（ｉｋ）・Ｖ１・√（２−２ｃｏｓΔΩ））、最後に、二回の軌道変換における増速量の合計を算出する（ΔＶＡ＝ＶＡａ＋ＶＡｂ）。
【００６２】
次のＳ１０５では、ＣＰＵ１０ａは、Ｓ１０２において算出した昇交点赤径の差ΔΩについて、第２の投入ルートにおける二回の軌道変換において必要な増速量の合計を、算出する。具体的には、ＣＰＵ１０ａは、まず、静止遷移軌道ＧＴＯから第１遷移円軌道への面外軌道変換における軌道傾斜角の変化量を算出し（ΔｉＢ＝ｉｋ＋ｉｔ）、次に、静止遷移軌道ＧＴＯから第１遷移円軌道への軌道変換において必要な増速量を算出する（ＶＡａ＝√［（Ｖｔ）２＋（Ｖ１）２−２・（Ｖｔ）・（Ｖ１）・ｃｏｓΔｉＢ］）。続いて、ＣＰＵ１０ａは、第１遷移円軌道から第２遷移円軌道への軌道変換において必要な増速量を算出し（ＶＢｂ＝ｓｉｎ（ｉｋ）・Ｖ１・√（２−２ｃｏｓΔΩ））、最後に、二回の軌道変換における増速量の合計を算出する（ΔＶＢ＝ＶＢａ＋ＶＢｂ）。
【００６３】
次のＳ１０６では、ＣＰＵ１０ａは、Ｓ１０２において算出した昇交点赤径の差ΔΩについて、第３の投入ルートにおける二回の軌道変換において必要な増速量の合計を、算出する。具体的には、ＣＰＵ１０ａは、まず、静止遷移軌道ＧＴＯから第１遷移円軌道への面外軌道変換において必要な増速量を算出し（ΔＶＣａ＝Ｖ１−Ｖｔ）、次に、第１遷移円軌道の軌道面の法線ベクトルを算出し（Ｊａ＝（Ｊａｘ，Ｊａｙ，Ｊａｚ）＝（ｓｉｎ（ｉｔ）・ｃｏｓ（Ωｔ），ｓｉｎ（ｉｔ）・ｓｉｎ（Ωｔ），ｃｏｓ（ｉｔ）））、更に、第２遷移円軌道の軌道面の法線ベクトルを算出する（Ｊｂ＝（Ｊｂｘ，Ｊｂｙ，Ｊｂｚ）＝（ｓｉｎ（ｉｋ）・ｃｏｓ（Ωｋ），ｓｉｎ（ｉｋ）・ｓｉｎ（Ωｋ），ｃｏｓ（ｉｋ）））。続いて、ＣＰＵ１０ａは、第１遷移円軌道から第２遷移円軌道への面外軌道変換において必要な増速量を算出し（ΔＶＣｂ＝Ｖ１・｜Ｊｋ−Ｊｔ｜）、最後に、最後に、二回の軌道変換における増速量の合計を算出する（ΔＶＣ＝ＶＣａ＋ＶＣｂ）。
【００６４】
次のＳ１０７では、ＣＰＵ１０ａは、合計増速量が最も小さい投入ルートを特定する。
【００６５】
次のＳ１０８では、ＣＰＵ１０ａは、各投入ルートの計算結果（合計増速量など）を含むとともに、Ｓ１０７において特定した最適な投入ルートを定義する情報（例えば、各投入ルートの合計増速量のなかから最適な投入ルートの合計増速量だけを指し示す矢印）を含む結果提示画面を、表示装置１０ｃに表示する。なお、ＣＰＵ１０ａは、このＳ１０８において、推薬量，噴射時間，人工衛星質量などを示す情報を算出して、算出結果を上記結果提示画面に含める処理を行っても良い。また、ＣＰＵ１０ａは、近地点引数ωや平均近点離角Ｍ，及び、打ち上げロケットの射場の位置などから、打ち上げロケットの打ち上げ日時や、軌道変換の実行時刻などの飛行計画を算出して、算出結果を上記結果提示画面に含める処理を行っても良い。ＣＰＵ１０ａは、このＳ１０８のステップの実行後、投入ルート提案処理を終了する。
【００６６】
上述したような投入ルート提案処理が実行されるので、従事者は、静止遷移軌道ＧＴＯと傾斜同期軌道ＩＳＯの軌道要素をこの投入ルート提案装置１０に入力することにより、最適な投入ルートを示す結果提示画面を表示装置１０ｃに表示させることができる。このため、従事者は、複雑な計算を手作業にて行うことなく、簡単に、最適な投入ルートを知ることができる。
【００６７】
（付記１）
人工衛星を待機軌道から静止軌道へ投入するための静止遷移軌道から、準天頂軌道の持つ多数の傾斜同期軌道のうちの一つに向けて人工衛星を投入するための衛星投入方法であって、
前記静止遷移軌道から、その遠地点に昇交点が一致するとともに前記傾斜同期軌道と同じ軌道傾斜角を持つ第１遷移円軌道へ前記人工衛星を投入し、その後に、その第１遷移円軌道から、その第１遷移円軌道と同じ軌道傾斜角及び軌道長半径を持つとともに前記傾斜同期軌道と同じ昇交点赤径を持つ第２遷移円軌道へ前記人工衛星を投入する第１の投入ルート、
前記静止遷移軌道から、その遠地点に降交点が一致するとともに前記傾斜同期軌道と同じ軌道傾斜角を持つ第１遷移円軌道へ前記人工衛星を投入し、その後に、その第１遷移円軌道から、その第１遷移円軌道と同じ軌道傾斜角及び軌道長半径を持つとともに前記傾斜同期軌道と同じ昇交点赤径を持つ第２遷移円軌道へ人工衛星を投入する第２の投入ルート、及び、
前記静止遷移軌道から、その遠地点に昇交点が一致するとともに軌道傾斜角が前記静止遷移軌道と一致する第１遷移円軌道へ前記人工衛星を投入し、その後に、その第１遷移円軌道から、その第１遷移軌道と同じ軌道長半径を持つとともに前記傾斜同期軌道と同じ昇交点赤径及び軌道傾斜角を持つ第２遷移円軌道へ前記人工衛星を投入する第３の投入ルート
のうちの１つに、前記人工衛星を投入する
ことを特徴とする衛星投入方法。
【００６８】
（付記２）
前記第１乃至第３の投入ルートのうち、前記静止遷移軌道から前記傾斜同期軌道へ投入するまでに必要な推薬量が最も少ない投入ルートに、前記人工衛星を投入する
ことを特徴とする付記１記載の衛星投入方法。
【００６９】
（付記３）
前記静止遷移軌道から前記第１遷移円軌道へ前記人工衛星を投入する際には、前記人工衛星に搭載されるロケットを、作動させる
ことを特徴とする付記１又は２記載の衛星投入方法。
【００７０】
（付記４）
前記第１遷移円軌道から前記第２遷移円軌道へ前記人工衛星を投入する際には、前記人工衛星に搭載されるロケットを、作動させる
ことを特徴とする付記１又は２記載の衛星投入方法。
【００７１】
（付記５）
前記ロケットは、アポジロケットである
ことを特徴とする付記３又は４記載の衛星投入方法。
【００７２】
（付記６）
前記アポジロケットは、アポジエンジンである
ことを特徴とする付記５記載の衛星投入方法。
【００７３】
（付記７）
前記アポジロケットの作動時に噴射されるガスは、燃焼ガスである
ことを特徴とする付記５記載の衛星投入方法。
【００７４】
（付記８）
前記燃焼ガスは、異なる二種類の液体燃料を燃焼して得られる二液燃焼ガスである
ことを特徴とする付記７記載の衛星投入方法。
【００７５】
（付記９）
人工衛星を待機軌道から静止軌道へ投入するための静止遷移軌道から、準天頂軌道の持つ多数の傾斜同期軌道のうちの一つに向けて人工衛星を投入する計画を立案する際に用いられる投入ルート提案装置であって、
各種画面を表示するための表示部と、
各種情報を入力するための入力部と、
前記静止遷移軌道及び前記傾斜同期軌道の軌道要素を定義する情報が前記入力部から入力されると、所定画面を前記表示部に表示させる制御部と
を備え、
前記制御部は、
前記軌道要素を定義する情報に基づいて、前記静止遷移軌道から、その遠地点に昇交点が一致するとともに前記傾斜同期軌道と同じ軌道傾斜角を持つ第１遷移円軌道へ前記人工衛星を投入する際に必要な増速量，及び、その第１遷移円軌道から、その第１遷移円軌道と同じ軌道傾斜角及び軌道長半径を持つとともに前記傾斜同期軌道と同じ昇交点赤径を持つ第２遷移円軌道へ前記人工衛星を投入する際に必要な増速量の和を、第１の投入ルートについてのルート情報として算出し、
前記軌道要素を定義する情報に基づいて、前記静止遷移軌道から、その遠地点に降交点が一致するとともに前記傾斜同期軌道と同じ軌道傾斜角を持つ第１遷移円軌道へ前記人工衛星を投入する際に必要な増速量，及び、その第１遷移円軌道から、その第１遷移円軌道と同じ軌道傾斜角及び軌道長半径を持つとともに前記傾斜同期軌道と同じ昇交点赤径を持つ第２遷移円軌道へ人工衛星を投入する際に必要な増速量の和を、第２の投入ルートについてのルート情報として算出し、
前記軌道要素を定義する情報に基づいて、前記静止遷移軌道から、その遠地点に昇交点が一致するとともに軌道傾斜角が前記静止遷移軌道と一致する第１遷移円軌道へ前記人工衛星を投入する際に必要な増速量，及び、その第１遷移円軌道から、その第１遷移軌道と同じ軌道長半径を持つとともに前記傾斜同期軌道と同じ昇交点赤径及び軌道傾斜角を持つ第２遷移円軌道へ前記人工衛星を投入する際に必要な増速量の和を、第３の投入ルートについてのルート情報として算出し、所定の抽出条件に基づいて、前記第１乃至第３の投入ルートの各ルート情報のなかから１つのルート情報を抽出し、
抽出したルート情報に対応する投入ルートを定義する情報を前記所定画面に含める
ことを特徴とする投入ルート提案装置。
【００７６】
（付記１０）
コンピュータに対し、
人工衛星を待機軌道から静止軌道へ投入するための静止遷移軌道の軌道要素を定義する情報，及び、準天頂軌道の持つ多数の傾斜同期軌道のうちの一つの軌道要素を定義する情報を、受付させ、
前記両情報を受け付けた場合には、
前記軌道要素を定義する情報に基づいて、前記静止遷移軌道から、その遠地点に昇交点が一致するとともに前記傾斜同期軌道と同じ軌道傾斜角を持つ第１遷移円軌道へ前記人工衛星を投入する際に必要な増速量，及び、その第１遷移円軌道から、その第１遷移円軌道と同じ軌道傾斜角及び軌道長半径を持つとともに前記傾斜同期軌道と同じ昇交点赤径を持つ第２遷移円軌道へ前記人工衛星を投入する際に必要な増速量の和を、第１の投入ルートについてのルート情報として算出させ、
前記軌道要素を定義する情報に基づいて、前記静止遷移軌道から、その遠地点に降交点が一致するとともに前記傾斜同期軌道と同じ軌道傾斜角を持つ第１遷移円軌道へ前記人工衛星を投入する際に必要な増速量，及び、その第１遷移円軌道から、その第１遷移円軌道と同じ軌道傾斜角及び軌道長半径を持つとともに前記傾斜同期軌道と同じ昇交点赤径を持つ第２遷移円軌道へ人工衛星を投入する際に必要な増速量の和を、第２の投入ルートについてのルート情報として算出させ、前記軌道要素を定義する情報に基づいて、前記静止遷移軌道から、その遠地点に昇交点が一致するとともに軌道傾斜角が前記静止遷移軌道と一致する第１遷移円軌道へ前記人工衛星を投入する際に必要な増速量，及び、その第１遷移円軌道から、その第１遷移軌道と同じ軌道長半径を持つとともに前記傾斜同期軌道と同じ昇交点赤径及び軌道傾斜角を持つ第２遷移円軌道へ前記人工衛星を投入する際に必要な増速量の和を、第３の投入ルートについてのルート情報として算出させ、
所定の抽出条件に基づいて、前記第１乃至第３の投入ルートの各ルート情報のなかから１つのルート情報を抽出させ、
抽出されたルート情報に対応する投入ルートを定義する情報を含む画面を表示させる
ことを特徴とする投入ルート提案プログラム。
【００７７】
（付記１１）
コンピュータに対し、
人工衛星を待機軌道から静止軌道へ投入するための静止遷移軌道の軌道要素を定義する情報，及び、準天頂軌道の持つ多数の傾斜同期軌道のうちの一つの軌道要素を定義する情報を、受付させ、
前記両情報を受け付けた場合には、
前記軌道要素を定義する情報に基づいて、前記静止遷移軌道から、その遠地点に昇交点が一致するとともに前記傾斜同期軌道と同じ軌道傾斜角を持つ第１遷移円軌道へ前記人工衛星を投入する際に必要な増速量，及び、その第１遷移円軌道から、その第１遷移円軌道と同じ軌道傾斜角及び軌道長半径を持つとともに前記傾斜同期軌道と同じ昇交点赤径を持つ第２遷移円軌道へ前記人工衛星を投入する際に必要な増速量の和を、第１の投入ルートについてのルート情報として算出させ、
前記軌道要素を定義する情報に基づいて、前記静止遷移軌道から、その遠地点に降交点が一致するとともに前記傾斜同期軌道と同じ軌道傾斜角を持つ第１遷移円軌道へ前記人工衛星を投入する際に必要な増速量，及び、その第１遷移円軌道から、その第１遷移円軌道と同じ軌道傾斜角及び軌道長半径を持つとともに前記傾斜同期軌道と同じ昇交点赤径を持つ第２遷移円軌道へ人工衛星を投入する際に必要な増速量の和を、第２の投入ルートについてのルート情報として算出させ、前記軌道要素を定義する情報に基づいて、前記静止遷移軌道から、その遠地点に昇交点が一致するとともに軌道傾斜角が前記静止遷移軌道と一致する第１遷移円軌道へ前記人工衛星を投入する際に必要な増速量，及び、その第１遷移円軌道から、その第１遷移軌道と同じ軌道長半径を持つとともに前記傾斜同期軌道と同じ昇交点赤径及び軌道傾斜角を持つ第２遷移円軌道へ前記人工衛星を投入する際に必要な増速量の和を、第３の投入ルートについてのルート情報として算出させ、
所定の抽出条件に基づいて、前記第１乃至第３の投入ルートの各ルート情報のなかから１つのルート情報を抽出させ、
抽出されたルート情報に対応する投入ルートを定義する情報を含む画面を表示させる
投入ルート提案プログラムを格納した
ことを特徴とするコンピュータ可読媒体。
【００７８】
【発明の効果】
以上に説明したように、本発明によれば、準天頂軌道の傾斜同期軌道の昇交点に静止遷移軌道の遠地点が一致しないような日時に人工衛星を打ち上げる場合でも、できるだけ少ない燃料にて、静止遷移軌道に投入された人工衛星を、任意の昇交点赤径を持つ傾斜同期軌道へ素早く投入することができる。
【図面の簡単な説明】
【図１】軌道要素を説明するための説明図
【図２】準天頂軌道を説明するための説明図
【図３】第１の投入ルートの第１遷移円軌道を説明するための説明図
【図４】第１の投入ルートの第２遷移円軌道を説明するための説明図
【図５】第２の投入ルートの第１遷移円軌道を説明するための説明図
【図６】第２の投入ルートの第２遷移円軌道を説明するための説明図
【図７】第３の投入ルートの第１遷移円軌道を説明するための説明図
【図８】第３の投入ルートの第２遷移円軌道を説明するための説明図
【図９】第１乃至第３の投入ルートに共通するパラメータが列挙された表
【図１０】第１の投入ルートの具体例を示す表
【図１１】第１の投入ルートの具体例を示す表
【図１２】第２の投入ルートの具体例を示す表
【図１３】第２の投入ルートの具体例を示す表
【図１４】第３の投入ルートの具体例を示す表
【図１５】第３の投入ルートの具体例を示す表
【図１６】第３の投入ルートの具体例を示す表
【図１７】第３の投入ルートの具体例を示す表
【図１８】第１乃至第３の投入ルートの比較結果
【図１９】投入ルート提案装置を概略的に示す構成図
【図２０】投入ルート提案処理の内容を示すフローチャート
【図２１】静止遷移軌道の遠地点と傾斜同期軌道の昇交点が一致する場合の面外軌道変換の説明図
【符号の説明】
ＧＴＯ      静止遷移軌道
ＩＳＯ      傾斜同期軌道
ＧＥＯ      静止軌道
ＥＰ        赤道面
ＯＰ        軌道面
ＩＰ１〜３  傾斜同期軌道の軌道面
Ｃ          地心
Ａ          遠地点
Ｎ          昇交点
Ｓ          降交点
１０        投入ルート提案装置
１０ａ      ＣＰＵ
１０ｂ      ＲＡＭ
１０ｃ      表示装置
１０ｄ      入力装置
１０ｅ      ＦＤＤ
１０ｆ      ＣＤＤ
１０ｇ      ＨＤＤ
１１        投入ルート提案プログラム
【図１】
2004284479.tif 000003
【図２】
2004284479.tif 000004
【図３】
2004284479.tif 000005
【図４】
2004284479.tif 000006
【図５】
2004284479.tif 000007
【図６】
2004284479.tif 000008
【図７】
2004284479.tif 000009
【図８】
2004284479.tif 000010
【図９】
2004284479.tif 000011
【図１０】
2004284479.tif 000012
【図１１】
2004284479.tif 000013
【図１２】
2004284479.tif 000014
【図１３】
2004284479.tif 000015
【図１４】
2004284479.tif 000016
【図１５】
2004284479.tif 000017
【図１６】
2004284479.tif 000018
【図１７】
2004284479.tif 000019
【図１８】
2004284479.tif 000020
【図１９】
2004284479.tif 000021
【図２０】
2004284479.tif 000022
【図２１】
2004284479.tif 000023